(57)【要約】  サーバ装置は、点検対象の設備を表す情報、設備に対する１または２以上の点検項目から成る点検項目群を実施する周期を表す情報、および、点検項目群に含まれる点検項目を表す点検項目情報を受け付ける受付手段と、周期を表す情報に基づいて点検項目群を実施すべき日を決定する決定手段と、クライアント装置の表示手段に表示されたカレンダー上の日付の欄に当該日付において実施すべき点検項目群の有無を表示するようにクライアント装置に指示する指示手段と、を備える。いつどのような点検項目を実施すべきかに関する情報を作業者が容易に取得できるようにする。
2014007195.tif 000002
【特許請求の範囲】
【請求項１】
点検対象の設備を表す情報、前記設備に対する１または２以上の点検項目から成る点検項目群を実施する周期を表す情報、および、前記点検項目群に含まれる点検項目を表す点検項目情報を受け付ける受付手段と、
前記周期を表す情報に基づいて、前記点検項目群を実施すべき日を決定する決定手段と、
クライアント装置の表示手段に表示されたカレンダー上の日付の欄に、前記日付において実施すべき点検項目群の有無を表示するように、前記クライアント装置に指示する指示手段と、を備える、サーバ装置。
【請求項２】
前記点検項目情報を前記クライアント装置に送出する送出手段をさらに備え、
前記指示手段は、前記クライアント装置において前記カレンダー上の日付のうちの前記点検項目群を実施すべき日付の欄が選択されると、前記点検項目情報へのリンクを前記表示手段に表示するように、前記クライアント装置に指示し、
前記送出手段は、前記クライアント装置において前記リンクが選択されると、前記点検項目情報を前記クライアント装置に送出する、請求項１に記載のサーバ装置。
【請求項３】
前記受付手段は、前記設備の点検を担当する作業者または部署を表す情報を受け付け、
前記指示手段は、前記作業者または前記部署に属する作業者のクライアント装置に対して前記指示を行う、請求項１または２に記載のサーバ装置。
【請求項４】
前記周期は、年次、月次、週次、または、曜日が指定された日次、もしくは、曜日が指定されない日次である、請求項１ないし３のいずれか１項に記載のサーバ装置。
【請求項５】
カレンダーを表示する表示手段を有するクライアント装置であって、
前記表示装置は、点検対象の設備を表す情報、前記設備に対する１または２以上の点検項目から成る点検項目群を実施する周期を表す情報、および、前記点検項目群に含まれる点検項目を表す点検項目情報を受け付けるサーバ装置であって、前記周期を表す情報に基づいて、前記点検項目群を実施すべき日を決定する前記サーバ装置の指示に従って、前記カレンダー上の日付の欄に、前記日付において実施すべき点検項目群の有無を表示する、クライアント装置。
【請求項６】
前記カレンダー上の日付のうちの前記点検項目群を実施すべき日付の欄が選択されると、前記点検項目情報へのリンクを前記表示手段に表示するように、前記サーバ装置から指示され、
前記リンクが選択されると、前記サーバ装置から送出された前記点検項目情報を受信する、請求項５に記載のクライアント装置。
【請求項７】
点検対象の設備を表す情報、前記設備に対する１または２以上の点検項目から成る点検項目群を実施する周期を表す情報、および、前記点検項目群に含まれる点検項目を表す点検項目情報を受け付ける受付手段と、
前記周期を表す情報に基づいて、前記点検項目群を実施すべき日を決定する決定手段と、を有するサーバ装置と、
カレンダーを表示する表示手段を有するクライアント装置と、を備え、
前記表示手段は、前記サーバ装置の指示に従って、前記カレンダー上の日付の欄に、前記日付において実施すべき点検項目群の有無を表示する、設備点検支援システム。
【請求項８】
前記サーバ装置は、前記点検項目情報を前記クライアント装置に送出する送出手段をさらに備え、
前記指示手段は、前記クライアント装置において前記カレンダー上の日付のうちの前記点検項目群を実施すべき日付の欄が選択されると、前記点検項目情報へのリンクを前記表示手段に表示するように、前記クライアント装置に指示し、
前記送出手段は、前記クライアント装置において前記リンクが選択されると、前記点検項目情報を前記クライアント装置に送出する、請求項７に記載の設備点検支援システム。
【請求項９】
サーバ装置が、点検対象の設備を表す情報を受け付ける工程と、
前記設備に対する１または２以上の点検項目から成る点検項目群を実施する周期を表す情報を受け付ける工程と、
前記点検項目群に含まれる点検項目を表す点検項目情報を受け付ける工程と、
前記周期を表す情報に基づいて、前記点検項目群を実施すべき日を決定する工程と、
クライアント装置の表示手段に表示されたカレンダー上の日付の欄に、前記日付において実施すべき点検項目群の有無を表示するように、前記クライアント装置に指示する工程と、を含む、設備点検支援方法。
【請求項１０】
前記サーバ装置が、前記クライアント装置において前記カレンダー上の日付のうちの前記点検項目群を実施すべき日付の欄が選択されると、前記点検項目情報へのリンクを前記表示手段に表示するように、前記クライアント装置に指示する工程と、
前記クライアント装置において前記リンクが選択されると、前記点検項目情報を前記クライアント装置に送出する工程と、を含む、請求項９に記載の設備点検支援方法。
【請求項１１】
前記サーバ装置が、前記設備の点検を担当する作業者または部署を表す情報を受け付ける工程をさらに含み、
前記サーバ装置は、前記作業者または前記部署に属する作業者のクライアント装置に対して前記指示を行う、請求項９または１０に記載の設備点検支援方法。
【請求項１２】
点検対象の設備を表す情報を受け付ける処理と、
前記設備に対する１または２以上の点検項目から成る点検項目群を実施する周期を表す情報を受け付ける処理と、
前記点検項目群に含まれる点検項目を表す点検項目情報を受け付ける処理と、
前記周期を表す情報に基づいて、前記点検項目群を実施すべき日を決定する処理と、
クライアント装置の表示手段に表示されたカレンダー上の日付の欄に、前記日付において実施すべき点検項目群の有無を表示するように、前記クライアント装置に指示する処理と、をコンピュータに実行させる、プログラム。
【請求項１３】
前記クライアント装置において前記カレンダー上の日付のうちの前記点検項目群を実施すべき日付の欄が選択されると、前記点検項目情報へのリンクを前記表示手段に表示するように、前記クライアント装置に指示する処理と、
前記クライアント装置において前記リンクが選択されると、前記点検項目情報を前記クライアント装置に送出する処理と、を前記コンピュータに実行させる、請求項１２に記載のプログラム。
【請求項１４】
前記設備の点検を担当する作業者または部署を表す情報を受け付ける処理と、
前記作業者または前記部署に属する作業者のクライアント装置に対して前記指示を行う処理と、を前記コンピュータに実行させる、請求項１２または１３に記載のプログラム。
【発明の詳細な説明】
【技術分野】
【０００１】
［関連出願についての記載］
本発明は、日本国特許出願：特願２０１２−１４８７０６号（２０１２年  ７月  ２日出願）に基づくものであり、同出願の全記載内容は引用をもって本書に組み込み記載されているものとする。
本発明は、設備点検支援システム、サーバ装置、クライアント装置、設備点検支援方法およびプログラムに関し、特に、作業員による設備の点検を支援する設備点検支援システム、サーバ装置、クライアント装置、設備点検支援方法およびプログラムに関する。
【背景技術】
【０００２】
現在では、設備の点検業務は多岐にわたっており、設備を管理する業者または設備を利用する利用者自身によって、ビル、マンション、ホテルなどの建物に設置された電気設備の点検、自動車、電気製品などの生産ラインにおける工作機械の点検、オフィスに設置された情報通信機器の点検などが行われている。【０００３】
また、設備の点検作業を効率良く実施するためのツールとして、情報通信技術に基づく設備点検支援システムが多数のベンダーから提供されている。一例として、特許文献１には、橋梁の保守管理を支援する橋梁保守管理システムが記載されている。
【先行技術文献】
【特許文献】
【０００４】
【特許文献１】特開平１０−０１８２２８号公報
【発明の概要】
【発明が解決しようとする課題】
【０００５】
以下の分析は、本発明者によってなされたものである。【０００６】
特許文献１に記載された橋梁保守管理支援システムによると、必要な検査項目を表示させるために、ユーザは、検査対象となる橋梁の橋梁データを通信検査装置に格納するとともに、検査技術者名、検査日等を入力する必要がある。【０００７】
かかる橋梁保守管理支援システムによると、ユーザは、自分がいつどの設備（橋梁）を点検すべきかを予め把握しておく必要がある。また、点検対象の設備に対する点検項目を表示させる際に、ユーザは、名前、点検日等の入力という煩雑な入力作業を行わなければならない。【０００８】
そこで、いつどのような点検項目を実施すべきかに関する情報を作業者が容易に取得できるようにすることが課題となる。本発明の目的は、かかる課題を解決する設備点検支援システム、サーバ装置、クライアント装置、設備点検支援方法およびプログラムを提供することにある。
【課題を解決するための手段】
【０００９】
本発明の第１の視点に係るサーバ装置は、
点検対象の設備を表す情報、前記設備に対する１または２以上の点検項目から成る点検項目群を実施する周期を表す情報、および、前記点検項目群に含まれる点検項目を表す点検項目情報を受け付ける受付手段と、
前記周期を表す情報に基づいて、前記点検項目群を実施すべき日を決定する決定手段と、
クライアント装置の表示手段に表示されたカレンダー上の日付の欄に、前記日付において実施すべき点検項目群の有無を表示するように、前記クライアント装置に指示する指示手段と、を備える。【００１０】
本発明の第２の視点に係るクライアント装置は、
カレンダーを表示する表示手段を有するクライアント装置であって、
前記表示装置は、点検対象の設備を表す情報、前記設備に対する１または２以上の点検項目から成る点検項目群を実施する周期を表す情報、および、前記点検項目群に含まれる点検項目を表す点検項目情報を受け付けるサーバ装置であって、前記周期を表す情報に基づいて、前記点検項目群を実施すべき日を決定する前記サーバ装置の指示に従って、前記カレンダー上の日付の欄に、前記日付において実施すべき点検項目群の有無を表示する。【００１１】
本発明の第３の視点に係る設備点検支援システムは、
点検対象の設備を表す情報、前記設備に対する１または２以上の点検項目から成る点検項目群を実施する周期を表す情報、および、前記点検項目群に含まれる点検項目を表す点検項目情報を受け付ける受付手段と、
前記周期を表す情報に基づいて、前記点検項目群を実施すべき日を決定する決定手段と、を有するサーバ装置と、
カレンダーを表示する表示手段を有するクライアント装置と、を備え、
前記表示手段は、前記サーバ装置の指示に従って、前記カレンダー上の日付の欄に、前記日付において実施すべき点検項目群の有無を表示する。【００１２】
本発明の第４の視点に係る設備点検支援方法は、
サーバ装置が、点検対象の設備を表す情報を受け付ける工程と、
前記設備に対する１または２以上の点検項目から成る点検項目群を実施する周期を表す情報を受け付ける工程と、
前記点検項目群に含まれる点検項目を表す点検項目情報を受け付ける工程と、
前記周期を表す情報に基づいて、前記点検項目群を実施すべき日を決定する工程と、
クライアント装置の表示手段に表示されたカレンダー上の日付の欄に、前記日付において実施すべき点検項目群の有無を表示するように、前記クライアント装置に指示する工程と、を含む。【００１３】
本発明の第５の視点に係るプログラムは、
点検対象の設備を表す情報を受け付ける処理と、
前記設備に対する１または２以上の点検項目から成る点検項目群を実施する周期を表す情報を受け付ける処理と、
前記点検項目群に含まれる点検項目を表す点検項目情報を受け付ける処理と、
前記周期を表す情報に基づいて、前記点検項目群を実施すべき日を決定する処理と、
クライアント装置の表示手段に表示されたカレンダー上の日付の欄に、前記日付において実施すべき点検項目群の有無を表示するように、前記クライアント装置に指示する処理と、をコンピュータに実行させる。【００１４】
なお、プログラムは、コンピュータ読み取り可能な記録媒体（non-transitory computer-readable storage medium）に記録されたプログラム製品として提供することができる。
【発明の効果】
【００１５】
本発明に係る設備点検支援システム、サーバ装置、クライアント装置、設備点検支援方法およびプログラムによると、いつどのような点検項目を実施すべきかに関する情報を作業者が容易に把握することが可能となる。
【図面の簡単な説明】
【００１６】
【図１】実施形態に係る設備点検支援システムの構成を一例として示すブロック図である。
【図２】実施形態に係る設備点検支援システムの動作を一例として示すフロー図である。
【図３】サーバ装置が点検対象の設備を表す情報を受け付ける画面を一例として示す図である。
【図４】サーバ装置が点検項目群を実施する周期を受け付ける画面を一例として示す図である。
【図５】サーバ装置が点検項目群を新規に受け付ける画面を一例として示す図である。
【図６】サーバ装置が点検項目群を新規に受け付ける詳細画面を一例として示す図である。
【図７】点検項目群の有無、点検項目情報へのリンクが表示されたクライアント装置の画面を一例として示す図である。
【発明を実施するための形態】
【００１７】
（実施形態）
実施形態に係る設備点検支援システムについて、図面を参照して説明する。図１は、本実施形態に係る設備点検支援システム３０の構成を一例として示すブロック図である。図１を参照すると、設備点検支援システム３０は、サーバ装置１０およびクライアント装置２０を備えている。また、サーバ装置１０は、少なくとも、受付手段１１、決定手段１２、および、指示手段１３を備えている。さらに、クライアント装置２０は、表示手段２１を備えている。ここに、各手段は「部」（unit）とも表すことができる。
【００１８】
例えば、設備点検を実施する事業者の事業所において点検作業を監督する管理者が使用するＰＣ（Personal Computer）をサーバ装置１０とし、点検現場で点検を担当する作業者が使用するノートＰＣ、タブレット端末、スマートフォンその他のモバイル端末をクライアント装置２０としてもよい。ただし、サーバ装置１０およびクライアント装置２０のハードウェア種別および使用者は、これらに限定されない。
【００１９】
受付手段１１は、点検対象の設備を表す情報（例えば、ビル名、工場名等）、設備に対する１または２以上の点検項目から成る点検項目群を実施する周期を表す情報（例えば、年次、月次、週次、曜日が指定された日次、曜日が指定されない日次等）、および、点検項目群に含まれる点検項目を表す点検項目情報（例えば、点検項目の詳細内容、点検対象の設備を表す図面等）を受け付ける。
【００２０】
決定手段１２は、周期を表す情報に基づいて、点検項目群を実施すべき日を決定する。例えば、周期が月次であれば、決定手段１２は、各月の所定の日を点検項目群を実施すべき日として決定する。また、周期が週次であれば、決定手段１２は、各週の所定の曜日を点検項目群を実施すべき日として決定する。
【００２１】
指示手段１３は、クライアント装置２０の表示手段２１に表示されたカレンダー上の日付の欄に、当該日付において実施すべき点検項目群の有無を表示するように、クライアント装置２０に指示する。
【００２２】
図１を参照すると、サーバ装置１０は、点検項目情報（点検項目詳細、図面等）をクライアント装置に送出する送出手段１４をさらに備えていることが好ましい。指示手段１３は、クライアント装置２０においてカレンダー上の日付のうちの点検項目群を実施すべき日付の欄が選択されると、点検項目情報へのリンク、ないし、点検項目情報をサーバ装置１０からダウンロードするためのチェックボックスを表示手段２１に表示するように、クライアント装置２０に指示する。送出手段１４は、クライアント装置２０において当該リンクや当該チェックボックスが選択されると、点検項目情報をクライアント装置２０に送出する。
【００２３】
また、受付手段１１は、設備の点検を担当する部署または作業者を表す情報を受け付けることが好ましい。このとき、指示手段１３は、上記部署に属する作業者または作業者の使用するクライアント装置に対して上記の表示指示を行うとともに、当該クライアント装置に対して、点検項目情報のダウンロードを許可するようにしてもよい。
【００２４】
次に、設備点検支援システム３０の動作について、図面を参照して説明する。図２は、設備点検支援システム３０の動作を一例として示すフロー図である。
【００２５】
図２を参照すると、サーバ装置１０の受付手段１１は、点検対象の設備を表す情報（例えば、ビル、マンション、工場の名称等）を受け付ける（ステップＳ１）。
【００２６】
また、受付手段１１は、上記設備に対する１または２以上の点検項目から成る点検項目群を実施する周期（例えば、年次、月次、週次、日次等）を表す情報を受け付ける（ステップＳ２）。
【００２７】
さらに、受付手段１１は、上記点検項目群に含まれる点検項目を表す点検項目情報（例えば、点検項目詳細、点検対象の設備の図面等）を受け付ける（ステップＳ３）。
【００２８】
次に、決定手段１２は、上記の周期を表す情報に基づいて、点検項目群を実施すべき日を決定する（ステップＳ４）。
【００２９】
次に、指示手段１３は、クライアント装置２０の表示手段２１に表示されたカレンダー上の日付の欄に、当該日付において実施すべき点検項目群の有無を表示するように、クライアント装置２０に指示する（ステップＳ５）。
【００３０】
次に、指示手段１３は、クライアント装置２０においてカレンダー上の日付のうちの点検項目群を実施すべき日付の欄が選択されたかどうかを判別し（ステップＳ６）、選択された場合（ステップＳ６のＹｅｓ）、点検項目情報へのリンク（ないし、ダウンロード用のチェックボックス）を表示手段２１に表示するように、クライアント装置２０に指示する（ステップＳ７）。
【００３１】
さらに、送出手段１４は、クライアント装置２０においてリンク（ないし、チェックボックス）が選択されたかどうかを判別し（ステップＳ８）、選択された場合（ステップＳ８のＹｅｓ）、点検項目情報をクライアント装置２０に送出する（ステップＳ９）。
【００３２】
設備点検支援システム３０によると、いつどのような点検項目を実施すべきかに関する情報を、作業者が容易に取得することが可能となる。また、設備点検支援システム３０によると、作業者は、自分がいつどの設備を点検すべきかを予め把握しておく必要がなく、点検対象の設備に対する点検項目を表示させる際に、煩雑な入力作業を行う必要もなくなる。さらに、設備点検支援システム３０によると、作業者は、当日実施すべき点検項目群に含まれる点検項目の詳細内容、点検対象の設備の図面等の点検項目情報をサーバ装置１０から容易に取得することができる。
【実施例】
【００３３】
以下では、具体的な実施例に基づいて、上記実施形態に係る設備点検支援システム３０（図１）の動作を説明する。ここでは、一例として、「日本ビル（設備）の建設現場における施工状況確認（点検項目群）を、曜日指定の日次（周期）の点検業務として山田一郎（作業者）が行う」場合について説明する。また、クライアント装置２０は、作業者である山田一郎が点検現場において使用する端末とする。なお、本事例は実施形態に係る設備点検システム３０の具体的な動作を説明するための例示に過ぎず、設備点検支援システム３０の適用対象が本事例に限定されるものではない。【００３４】
サーバ装置１０の受付手段１１は、点検対象の設備を表す情報を受け付ける（図２のステップＳ１）。図３は、受付手段１１が点検対象の設備を受け付けるための画面を例示する。図３を参照すると、受付手段１１は、点検対象の設備を表す情報として、大分類コード３１および大分類名称３２を受け付ける。ここでは、受付手段１１は、大分類コード３１として「ＤＤ０００１」を受け付け、大分類名称３２として「日本ビル」を受け付ける。受付手段１１は、さらに、点検作業を担当する部署３３を受け付けるようにしてもよい。【００３５】
次に、受付手段１１は、上記設備に対する１または２以上の点検項目から成る点検項目群（本実施例では、施工状況確認）を実施する周期を表す情報を受け付ける（ステップＳ２）。図４は、受付手段１１が点検項目群を実施する周期を受け付ける画面を例示する。図４を参照すると、受付手段１１は、点検項目群である施工状況確認を実施する周期を表す情報として、日程種別４１、週間隔４２、月指定４３、日指定４４、第ｎ曜日指定４５、および、曜日指定４６を受け付ける。受付手段１１は、さらに、担当者４８、および、点検項目群の実施を開始する時刻として時間指定４７を受け付けるようにしてもよい。【００３６】
受付手段１１は、日程種別４１として、年次、月次、週次、日次、および、日次（曜日指定）のいずれかを受け付ける。また、受付手段１１は、週間隔４２として、点検が毎週か隔週かに応じて、０または１を受け付ける。日程種別が年次である場合、受付手段１１は、月指定４３として、点検を実施する月（１月ないし１２月）を受け付ける。一方、日程種別が日次である場合、受付手段１１は、日指定４４として、点検を実施する日（１日ないし３１日、末日）を受け付ける。また、日程種別が月次の場合、受付手段１１は、第ｎ曜日指定４５および曜日指定４６として、点検を実施する週（第１ないし第５）および曜日（日〜土）を受け付ける。さらに、日程種別が週次または日次（曜日指定）である場合、受付手段１１は、曜日指定４６として、点検を実施する曜日（日〜土）を受け付ける。【００３７】
本実施例においては、受付手段１１は、日程種別４１として日次（曜日指定）を受け付け、曜日指定４６として月〜土を受け付ける。また、受付手段１１は、施工状況確認の開始時刻として１０：００を受け付ける。さらに、受付手段は、担当者４８として、山田一郎を受け付ける。【００３８】
次に、受付手段１１は、施工状況確認に含まれる点検項目を表す点検項目情報を受け付ける（図２のステップＳ３）。受付手段１１は、例えば、点検項目情報として、施工状況確認に含まれる点検項目の詳細な手順や点検対象の設備の図面（例えば、日本ビルの施工図）を受け付けるようにしてもよい。【００３９】
なお、受付手段１１は、受け付け済みの設備（日本ビル）に対する、新たな点検項目群を受け付けるようにしてもよい。図５および図６は、受付手段１１が点検項目群を新規に受け付ける画面を例示する。図５の新規予定追加のボタン５１が選択されると、受付手段１１は、図６の画面を表示する。図６を参照すると、受付手段１１は、受け付け済みの設備である「日本ビル」に対する新たな点検項目群として、点検項目群を識別する識別子（図６の中分類６１）、点検予定日時６２、および、担当者６３を受け付ける。【００４０】
次に、決定手段１２は、上記の周期を表す情報に基づいて、点検項目群を実施すべき日を決定する（図２のステップＳ４）。本実施例においては、点検項目群を実施すべき周期は、曜日指定（月〜土）の日次であるから、決定手段１２は、点検項目群を実施すべき日を、各月の日曜日を除くすべての日に決定する。なお、他の例として、受付手段１１が点検項目群を実施すべき周期に関して、日程種別４１として「週次」を受け付けるとともに、曜日指定４６として「水、金」を受け付けた場合、決定手段１２は点検項目群を実施すべき日を、各月の水曜日および金曜日に決定する。【００４１】
次に、指示手段１３は、クライアント装置２０の表示手段２１に表示されたカレンダー上の日付の欄に、当該日付において実施すべき点検項目群の有無を表示するように、クライアント装置２０に指示する（図２のステップＳ５）。図７の左欄は、クライアント装置２０の表示手段２１に表示されたカレンダー上に、点検項目群の有無が表示された様子を例示する。本実施例では、日曜日を除いたすべての日付欄に対して、その日に実施すべき点検項目群が存在することを示す（ファイル状の）アイコン７１が表示されている。【００４２】
このとき、作業者である山田一郎は、クライアント装置２０の表示手段２１を参照することにより、日本ビルの建設現場における施工状況確認を、日曜日を除いて毎日実施すべきであることを容易に把握することができる。【００４３】
次に、指示手段１３は、クライアント装置２０においてカレンダー上の日付のうちの点検項目群を実施すべき日付の欄が選択されたかどうかを判別し（図２のステップＳ６）、選択された場合（図２のステップＳ６のＹｅｓ）、点検項目情報へのリンク（ないし、点検項目情報をダウンロードするためのチェックボックス）を表示手段２１に表示するように、クライアント装置２０に指示する（図２のステップＳ７）。図７の左欄においては、点検項目群を実施すべき日である「２月１４日」（日付欄７２）が選択されている（図２のステップＳ６のＹｅｓ）。よって、図７の右欄には、「２月１４日」に実施すべき点検項目群（施行状況確認）に含まれる点検項目を表す点検項目情報をダウンロードするためのチェックボックス７３が表示されている（図２のステップＳ７）。【００４４】
次に、送出手段１４は、クライアント装置２０においてリンク（ないし、チェックボックス７３）が選択されたかどうかを判別し（図２のステップＳ８）、選択された場合（図２のステップＳ８のＹｅｓ）、点検項目情報をクライアント装置２０に送出する（図２のステップＳ９）。【００４５】
このとき、作業者である山田一郎は、点検項目情報として、点検項目群（施工状況確認）に含まれる点検項目の内容を表す情報として、各点検項目の詳細内容、点検対象の設備（日本ビル）の図面（例えば、施工図）等を、サーバ装置１０から自端末であるクライアント装置２０にダウンロードすることができる。【００４６】
以上のように、実施形態に係る設備点検支援システム３０によると、作業者は、自分がいつどの設備を点検すべきかを予め把握しておく必要がなく、点検対象の設備に対する点検項目情報を取得するために、煩雑な入力作業を行う必要もなくなる。したがって、設備点検支援システム３０によると、点検作業を担当する作業者の負担を大幅に軽減することが可能となる。【００４７】
なお、上記の特許文献等の先行技術文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。【００４８】
なお、本発明において、下記の形態が可能である。
［形態１］
上記第１の視点に係るサーバ装置のとおりである。
［形態２］
前記サーバ装置は、前記点検項目情報を前記クライアント装置に送出する送出手段をさらに備え、
前記指示手段は、前記クライアント装置において前記カレンダー上の日付のうちの前記点検項目群を実施すべき日付の欄が選択されると、前記点検項目情報へのリンクを前記表示手段に表示するように、前記クライアント装置に指示し、
前記送出手段は、前記クライアント装置において前記リンクが選択されると、前記点検項目情報を前記クライアント装置に送出してもよい。
［形態３］
前記受付手段は、前記設備の点検を担当する作業者または部署を表す情報を受け付け、
前記指示手段は、前記作業者または前記部署に属する作業者のクライアント装置に対して前記指示を行ってもよい。
［形態４］
前記周期は、年次、月次、週次、または、曜日が指定された日次、もしくは、曜日が指定されない日次であってもよい。
［形態５］
上記第２の視点に係るクライアント装置のとおりである。
［形態６］
前記クライアント装置は、前記カレンダー上の日付のうちの前記点検項目群を実施すべき日付の欄が選択されると、前記点検項目情報へのリンクを前記表示手段に表示するように、前記サーバ装置から指示され、
前記リンクが選択されると、前記サーバ装置から送出された前記点検項目情報を受信してもよい。
［形態７］
上記第３の視点に係る設備点検支援システムのとおりである。
［形態８］
前記サーバ装置は、前記点検項目情報を前記クライアント装置に送出する送出手段をさらに備え、
前記指示手段は、前記クライアント装置において前記カレンダー上の日付のうちの前記点検項目群を実施すべき日付の欄が選択されると、前記点検項目情報へのリンクを前記表示手段に表示するように、前記クライアント装置に指示し、
前記送出手段は、前記クライアント装置において前記リンクが選択されると、前記点検項目情報を前記クライアント装置に送出してもよい。
［形態９］
上記第４の視点に係る設備点検支援方法のとおりである。
［形態１０］
前記設備点検支援方法は、前記サーバ装置が、前記クライアント装置において前記カレンダー上の日付のうちの前記点検項目群を実施すべき日付の欄が選択されると、前記点検項目情報へのリンクを前記表示手段に表示するように、前記クライアント装置に指示する工程と、
前記クライアント装置において前記リンクが選択されると、前記点検項目情報を前記クライアント装置に送出する工程と、を含んでもよい。
［形態１１］
前記設備点検支援方法は、前記サーバ装置が、前記設備の点検を担当する作業者または部署を表す情報を受け付ける工程をさらに含み、
前記サーバ装置は、前記作業者または前記部署に属する作業者のクライアント装置に対して前記指示を行ってもよい。
［形態１２］
上記第５の視点に係るプログラムのとおりである。
【符号の説明】
【００４９】
１０    サーバ装置
１１    受付手段
１２    決定手段
１３    指示手段
１４    送出手段
２０    クライアント装置
２１    表示手段
３０    設備点検支援システム
３１    大分類コード
３２    大分類名称
３３    部署
４１    日程種別
４２    週間隔
４３    月指定
４４    日指定
４５    第ｎ曜日指定
４６    曜日指定
４７    時間指定
４８    担当者
５１    ボタン
６１    中分類
６２    点検予定日時
６３    担当者
７１    アイコン
７２    日付欄
７３    チェックボックス
【図１】
2014007195.tif 000003
【図２】
2014007195.tif 000004
【図３】
2014007195.tif 000005
【図４】
2014007195.tif 000006
【図５】
2014007195.tif 000007
【図６】
2014007195.tif 000008
【図７】
2014007195.tif 000009
【手続補正書】
【提出日】平成27年12月24日(2015.12.24)
【手続補正１】
【補正対象書類名】特許請求の範囲
【補正対象項目名】請求項１
【補正方法】変更
【補正の内容】
【請求項１】
点検対象である設備の図面を含む点検対象の設備を表す情報、前記設備に対する１または２以上の点検項目から成る点検項目群を実施する周期を表す情報、および、前記点検項目群に含まれる点検項目を表す点検項目情報を受け付ける受付手段と、
前記周期を表す情報に基づいて、前記点検項目群を実施すべき日を決定する決定手段と、
クライアント装置の表示手段に表示されたカレンダー上の日付の欄に、前記日付において実施すべき点検項目群の有無および前記点検対象の設備を表す情報を表示するように、前記クライアント装置に指示する指示手段と、
を備える、サーバ装置。
【手続補正２】
【補正対象書類名】特許請求の範囲
【補正対象項目名】請求項５
【補正方法】変更
【補正の内容】
【請求項５】
カレンダーを表示する表示手段を有するクライアント装置であって、
前記表示手段は、点検対象である設備の図面を含む点検対象の設備を表す情報、前記設備に対する１または２以上の点検項目から成る点検項目群を実施する周期を表す情報、および、前記点検項目群に含まれる点検項目を表す点検項目情報を受け付けるサーバ装置であって、前記周期を表す情報に基づいて、前記点検項目群を実施すべき日を決定する前記サーバ装置の指示に従って、
前記カレンダー上の日付の欄に、前記日付において実施すべき点検項目群の有無を表示する、
クライアント装置。
【手続補正３】
【補正対象書類名】特許請求の範囲
【補正対象項目名】請求項７
【補正方法】変更
【補正の内容】
【請求項７】
点検対象である設備の図面を含む点検対象の設備を表す情報、前記設備に対する１または２以上の点検項目から成る点検項目群を実施する周期を表す情報、および、前記点検項目群に含まれる点検項目を表す点検項目情報を受け付ける受付手段と、
前記周期を表す情報に基づいて、前記点検項目群を実施すべき日を決定する決定手段と、
クライアント装置の表示手段に表示されたカレンダー上の日付の欄に、前記日付において実施すべき点検項目群の有無および前記点検対象の設備を表す情報を表示するように、前記クライアント装置に指示する指示手段と、
を有するサーバ装置と、
カレンダーを表示する表示手段を有するクライアント装置と、
を備え、
前記表示手段は、前記サーバ装置の指示に従って、前記カレンダー上の日付の欄に、前記日付において実施すべき点検項目群の有無および前記点検対象の設備を表す情報を表示する、
設備点検支援システム。
【手続補正４】
【補正対象書類名】特許請求の範囲
【補正対象項目名】請求項９
【補正方法】変更
【補正の内容】
【請求項９】
サーバ装置が、点検対象である設備の図面を含む点検対象の設備を表す情報を受け付ける工程と、
前記設備に対する１または２以上の点検項目から成る点検項目群を実施する周期を表す情報を受け付ける工程と、
前記点検項目群に含まれる点検項目を表す点検項目情報を受け付ける工程と、
前記周期を表す情報に基づいて、前記点検項目群を実施すべき日を決定する工程と、
クライアント装置の表示手段に表示されたカレンダー上の日付の欄に、前記日付において実施すべき点検項目群の有無および前記点検対象の設備を表す情報を表示するように、前記クライアント装置に指示する工程と、
を含む、設備点検支援方法。
【手続補正５】
【補正対象書類名】特許請求の範囲
【補正対象項目名】請求項１２
【補正方法】変更
【補正の内容】
【請求項１２】
点検対象である設備の図面を含む点検対象の設備を表す情報を受け付ける処理と、
前記設備に対する１または２以上の点検項目から成る点検項目群を実施する周期を表す情報を受け付ける処理と、
前記点検項目群に含まれる点検項目を表す点検項目情報を受け付ける処理と、
前記周期を表す情報に基づいて、前記点検項目群を実施すべき日を決定する処理と、
クライアント装置の表示手段に表示されたカレンダー上の日付の欄に、前記日付において実施すべき点検項目群の有無および前記点検対象の設備を表す情報を表示するように、前記クライアント装置に指示する処理と、
をコンピュータに実行させる、プログラム。
【国際調査報告】
2014007195.tif 000010
2014007195.tif 000011
2014007195.tif 000012
2014007195.tif 000013